(57)【要約】【課題】ＢＧＭの音量をかごの構造に応じて細かく調整し、ＢＧＭが耳障りと感じないようにしたエレベータのかご内ＢＧＭ音量調整装置を得る。【解決手段】エレベータのかご１と、乗客案内用のアナウンスとともにＢＧＭ（背景音楽）を鳴動させるかご内スピーカー２と、かご内外、昇降路、エレベータ乗場等に設けられ、暗騒音を測定してその測定結果をアナウンス音量の調整に利用するマイク３〜５、７と、かご内スピーカーから鳴動させるＢＧＭの音量を調整するＢＧＭ音量自動調整装置９とを備え、ＢＧＭ音量自動調整装置は、エレベータ制御装置１１又は通信制御装置１３を介して情報センター１５からエレベータの情報及び設置ビルの情報を入手し、入手したエレベータ情報及びビル情報に基づいて予め設定された音量調整マップから求められたＢＧＭ音量を設定する。【選択図】図１
2010222127.tif 000002
【特許請求の範囲】
【請求項１】
ビル等に据え付けられたエレベータのかごと、
前記かご内に設置され、乗客案内用のアナウンスとともにＢＧＭ（背景音楽）を鳴動させるかご内スピーカーと、
前記かご内、かご外、昇降路、エレベータ乗場のいずれかに設けられ、設置場所周辺の暗騒音を測定してその測定結果をアナウンス音量の調整に利用するマイクと、
前記かご内スピーカーから鳴動させるＢＧＭの音量を調整するＢＧＭ音量自動調整装置とを備え、
前記ＢＧＭ音量自動調整装置は、エレベータ制御装置又は通信制御装置を介して情報センターからエレベータの情報及び設置ビルの情報を入手し、入手したエレベータ情報及びビル情報に基づいて予め設定された音量調整マップから求められたＢＧＭ音量を設定することを特徴とするエレベータのかご内ＢＧＭ音量調整装置。
【請求項２】
ＢＧＭ音量自動調整装置が入手するエレベータ情報は、かご容量（定員数）、かごタイプ、機種、スピーカー個数、エレベータ待機情報の少なくとも１つであることを特徴とする請求項１記載のエレベータのかご内ＢＧＭ音量調整装置。
【請求項３】
ＢＧＭ音量自動調整装置が入手するビル情報は、エレベータ設置場所、ビルの用途の少なくとも１つであることを特徴とする請求項又は請求項２記載のエレベータのかご内ＢＧＭ音量調整装置。
【発明の詳細な説明】
【技術分野】
【０００１】
この発明は、エレベータのかご内ＢＧＭ音量調整装置に関するものである。
【背景技術】
【０００２】
現在、エレベータのかご内では、乗客案内用のアナウンスの外にＢＧＭ（背景音楽）をスピーカーにより鳴動させることが多くなってきた。普通、乗客案内用のアナウンスは、到着時や出発時など、１回のみ短時間鳴動するのに対して、ＢＧＭは長時間鳴動させておくケースが殆どであり、乗客案内用のアナウンスに比べて細かな調整が必要である。好きな音楽、嫌いな音楽には、各個人により千差万別であるため、ＢＧＭといえども耳障りに感じる人も出てくる。また、同じ音量のＢＧＭであっても、エレベータのかご容量（定員数）や、かごタイプ（床面積や、正方形や長方形等の形や、天井高さ等）、スピーカーの位置や個数等のかご室自体の構造や、エレベータの待機状態（戸開状態か、戸閉状態か）や、設置ビルの騒音環境等により、乗客の耳に感じるＢＧＭの音量には相違があるものと考えられる。
【０００３】
また、従来技術としては、エレベータが停止する各階床のエレベータ乗場で案内報知する報知装置に対し、その出力音量を騒音に応じて自動調整することができるエレベータの報知音量制御装置が知られている（例えば、特許文献１参照）。また、かご内に設けられたアナウンス音量切替装置により、アナウンス報知装置のアナウンス音量をいくつかの音量段階に設定し、この音量段階に応じてかごの運転状態のアナウンス内容をアナウンス報知装置に出力するエレベータ制御装置が知られている（例えば、特許文献２参照）。
【先行技術文献】
【特許文献】
【０００４】
【特許文献１】特開平９−５８９４０号公報
【特許文献２】特開２００２−１２８４０３公報
【発明の概要】
【発明が解決しようとする課題】
【０００５】
従来のエレベータでは、同じ音量のＢＧＭであっても、エレベータのかご容量（定員数）や、かごタイプ（床面積や、正方形や長方形等の形や、天井高さ等）、スピーカーの位置や個数等のかご室自体の構造や、エレベータの待機状態（戸開状態か、戸閉状態か）や、設置ビルの騒音環境等により、乗客の耳に感じるＢＧＭの音量には相違があるものと考えられるが、据え付けられているエレベータのかご室自体の構造や、設置ビルの騒音環境に応じてＢＧＭの音量を細かく調整するものはなかった。また、従来技術のエレベータも、通常のアナウンス音量を騒音に応じて調整するものであり、ＢＧＭの音量をエレベータのかご室自体の構造や、設置ビルの騒音環境に応じてＢＧＭの音量を細かく調整するものはない。
【０００６】
この発明は、上述のような課題を解決するためになされたもので、エレベータのかご室自体の構造や、エレベータの待機状態（戸開状態か、戸閉状態か）や、設置ビルの騒音環境に応じてＢＧＭの音量を細かく調整することにより、ＢＧＭが耳障りと感じないように考慮したエレベータのかご内ＢＧＭ音量調整装置を提供するものである。
【課題を解決するための手段】
【０００７】
この発明に係るエレベータのかご内ＢＧＭ音量調整装置においては、ビル等に据え付けられたエレベータのかごと、かご内に設置され、乗客案内用のアナウンスとともにＢＧＭ（背景音楽）を鳴動させるかご内スピーカーと、かご内、かご外、昇降路、エレベータ乗場のいずれかに設けられ、設置場所周辺の暗騒音を測定してその測定結果をアナウンス音量の調整に利用するマイクと、かご内スピーカーから鳴動させるＢＧＭの音量を調整するＢＧＭ音量自動調整装置とを備え、ＢＧＭ音量自動調整装置は、エレベータ制御装置又は通信制御装置を介して情報センターからエレベータの情報及び設置ビルの情報を入手し、入手したエレベータ情報及びビル情報に基づいて予め設定された音量調整マップから求められたＢＧＭ音量を設定するものである。
【０００８】
また、ＢＧＭ音量自動調整装置が入手するエレベータ情報は、かご容量（定員数）、かごタイプ、機種、スピーカー個数、エレベータ待機情報の少なくとも１つである。
【０００９】
また、ＢＧＭ音量自動調整装置が入手するビル情報は、エレベータ設置場所、ビルの用途の少なくとも１つである。
【発明の効果】
【００１０】
この発明によれば、同じ音量のＢＧＭであっても、エレベータのかご容量（定員数）や、かご室のタイプ（床面積や、正方形や長方形等の形や、天井高さ等）、スピーカーの位置や個数等のかご室自体の構造や、エレベータの待機状態（戸開状態か、戸閉状態か）や、設置ビルの騒音環境に応じてＢＧＭの音量を細かく調整することにより、ＢＧＭが耳障りと感じないようにできるので、保守員の音量調整による最適化の手間を省略できるという効果がある。
【図面の簡単な説明】
【００１１】
【図１】この発明の実施の形態１におけるエレベータのかご内ＢＧＭ音量調整装置の全体構成を示すシステム構成図である。
【図２】この発明の実施の形態１におけるエレベータのかご内ＢＧＭ音量調整装置のかご容量に対応したＢＧＭ音量調整マップの構成例を示すテーブル図である。
【図３】この発明の実施の形態１におけるエレベータのかご内ＢＧＭ音量調整装置のかごタイプに対応したＢＧＭ音量調整マップの構成例を示すテーブル図である。
【図４】この発明の実施の形態１におけるエレベータのかご内ＢＧＭ音量調整装置の機種に対応したＢＧＭ音量調整マップの構成例を示すテーブル図である。
【図５】この発明の実施の形態１におけるエレベータのかご内ＢＧＭ音量調整装置のビル用途に対応したＢＧＭ音量調整マップの構成例を示すテーブル図である。
【図６】この発明の実施の形態１におけるエレベータのかご内ＢＧＭ音量調整装置のＢＧＭ音量の調整方法を示すフローチャートである。
【発明を実施するための形態】
【実施例１】
【００１２】
図１はこの発明の実施の形態１におけるエレベータのかご内ＢＧＭ音量調整装置の全体構成を示すシステム構成図である。
【００１３】
図１において、１はビル等に据え付けられたエレベータのかご、２はかご内スピーカーで、かご１内に設置されて乗客案内用のアナウンスとともにＢＧＭ（背景音楽）を鳴動させる。３はかご内マイクで、かご１内に設置されてかご内の暗騒音を測定する。４はかご外マイクで、かご１上部に設置されてかご外周辺の暗騒音を測定する。５は昇降路内マイクで、昇降路６に設置されて設置場所周辺の昇降路内の暗騒音を測定する。７は乗場マイクで、各階のエレベータ乗場８に設置されて各階乗場周辺の暗騒音を測定する。９はかご内スピーカー２から鳴動させるＢＧＭの音量を調整するＢＧＭ音量自動調整装置で、各通信線１０を介してかご内スピ−カー２、かご内マイク３、かご外マイク４、昇降路内マイク５及び乗場マイク７にそれぞれ接続されている。１１はエレベータ制御部で、通信線１２を介してＢＧＭ音量自動調整装置９に接続されている。１３は通信制御装置で、通信線１４を介してＢＧＭ音量自動調整装置９に接続されている。１５は情報センターで、公衆電話網またはブロードバンド回線１６を介して通信制御装置１３に接続されている。ＢＧＭ音量自動調整装置９は、エレベータ制御部１１または通信制御装置１３を介して情報センター１５から据え付けられているエレベータの情報、エレベータが据え付けられているビルの情報を入手する。ここで、エレベータ情報としては、例えば、かご容量（定員数）があり、これによりエレベータかご内の広さが判る。また、かごタイプがあり、これによりかご内の床面積、正方形や長方形等の形、天井高さが判る。また、機種があり、これによりかご内スピーカー２の位置が判る。さらに、かご内スピーカーの個数があり、これによりかご内の音源個数が判る。また、エレベータ待機状態があり、これにより戸開状態のＢＧＭ再生か、戸閉状態のＢＧＭ再生かが判る。一方、ビル情報としては、例えば、エレベータ設置場所があり、屋内設置か、屋外設置かが判る。また、設置ビルの用途があり、ビルの主な利用目的により、昼夜のボリューム調整の必要性等が判る。
【００１４】
図２〜図５はエレベータ情報及びビル情報に対応したＢＧＭ音量調整マップの構成例をそれぞれ示すテーブル図である。
図２はかご容量（定員数）に対応したＢＧＭ音量調整マップの構成例を示し、定員数（２〜７、・・・）に応じて移動先マップ（Ａ〜Ｆ、・・・）を作成する。また、図３はかごタイプに対応したＢＧＭ音量調整マップの構成例を示し、マップＡでかごタイプ（乗用、寝台、人荷、貨物、・・・）に応じて移動先マップ（ａ〜ｄ、・・・）を作成し、マップＢでかごタイプ（乗用、寝台、人荷、貨物、・・・）に応じて移動先マップ（ｅ〜ｈ、・・・）を作成する。また、図４は機種に対応したＢＧＭ音量調整マップの構成例を示し、マップａで各機種に応じて移動先マップ（Ｉ〜ＩＶ、・・・）を作成する。さらにまた、図５はビル用途に対応したＢＧＭ音量調整マップの構成例を示し、マップｉでビル用途（オフィス、テナント、病院、住宅、・・・）に応じて昼夜別のＢＧＭ音量調整マップをそれぞれ作成する。なお、図示しないが、スピーカー個数、エレベータ待機情報（戸開状態か、戸閉状態か）、エレベータ設置場所（屋内、屋外）も同様にＢＧＭ音量調整マップをそれぞれ作成する。
【００１５】
次に、ＢＧＭ音量自動調整装置によるＢＧＭ音量の調整方法について、図６により説明する。
先ずステップＳ１でかご内マイク３、かご外マイク４、昇降路内マイク５及び乗場マイク７によりエレベータの暗騒音測定を実行する。暗騒音測定結果は、通信線１０を介してＢＧＭ音量自動調整装置９に送られ、従来技術と同様に測定された騒音に応じて通常のアナウンス音量を調整する。次に、ステップＳ２でエレベータ情報を確認し、必要なエレベータ情報を入手できたか確認する（ステップＳ３）。次に、ステップＳ４でビル情報を確認し、必要なビル情報を入手できたか確認する（ステップＳ５）。必要なエレベータ情報とビル情報が入手できれば、該当するかご容量（定員数）の音量調整マップ（図２参照）に移動し（ステップＳ６）、その後順次、該当するかごタイプの音量調整マップ（図３参照）に移動し（ステップＳ７）、該当する機種の音量調整マップ（図４参照）に移動し（ステップＳ８）、該当するスピーカー個数の音量調整マップに移動し（ステップＳ９）、該当するエレベータの待機状態の音量調整マップに移動し（ステップＳ１０）、該当する設置場所の音量調整マップに移動し（ステップＳ１１）、該当するビル用途の音量調整マップ（図５参照）に移動し（ステップＳ６）、該当する各音量調整マップから求められたＢＧＭ音量を設定し、ＢＧＭ音量自動調整装置９からかご内スピーカー２からは、エレベータのかご容量（定員数）や、かご室のタイプ（床面積や、正方形や長方形等の形や、天井高さ等）、スピーカーの位置や個数等のかご室自体の構造や、エレベータの待機状態（戸開状態か、戸閉状態か）や、設置ビルの騒音環境に応じて細かく音量調整されたＢＧＭを鳴動させることができる。  
【符号の説明】
【００１６】
１  エレベータのかご
２  かご内スピーカー
３  かご内マイク
４  かご外マイク
５  昇降路内マイク
６  昇降路
７  乗場マイク
８  エレベータ乗場
９  ＢＧＭ音量自動調整装置
１０、１２、１４  通信線
１１  エレベータ制御部
１３  通信制御装置
１５  情報センター
１６  公衆電話網またはブロードバンド回線
【図１】
2010222127.tif 000003
【図２】
2010222127.tif 000004
【図３】
2010222127.tif 000005
【図４】
2010222127.tif 000006
【図５】
2010222127.tif 000007
【図６】
2010222127.tif 000008